(57)【要約】【課題】第一の構成部材とそれに組み付けられる第二の構成部材を含んで構成された組付構造物において、第一の構成部材と第二の構成部材の組付状態が解除されることを有利に阻止することが出来る、新規な構造の組付状態解除阻止機構を提供することを、目的とする。【解決手段】第一の構成部材１２に対して第二の構成部材１４が組み付けられた状態下において、第一の構成部材１２と第二の構成部材１４の解除方向に対して交差する方向で、それぞれの内部空間２７，３９が繋がるように位置せしめられた第二の筒部２８と第一の筒部３８とに跨って挿入配置されるスプリングピン６０を第二の筒部２８に嵌めると共に、第二の筒部２８に設けられた嵌込突起３３をスプリングピン６０に嵌めるようにした。【選択図】図１７
2007275428.tif 000002
【特許請求の範囲】
【請求項１】
第一の構成部材と該第一の構成部材に対して組み付けられる第二の構成部材とを含んで構成された組付構造物における該第一の構成部材と該第二の構成部材の組付状態の解除を阻止する組付状態解除阻止機構であって、
前記第一の構成部材及び前記第二の構成部材のうちの一方に一体形成された第一の筒部と、該第一の構成部材及び該第二の構成部材のうちの他方に一体形成されると共に、内部空間内の中央部分に該第一の筒部側へ向う嵌込突起が一体形成された第二の筒部とを有し、
前記組付状態下において、該第一の筒部と該第二の筒部とが、該組付状態を解除する解除方向に対して交差する方向でそれぞれの内部空間が繋がった状態となるように位置せしめられており、
該第一の筒部の該内部空間と該第二の筒部の該内部空間とに跨ってスプリングピンが配置され、
該スプリングピンを、該第一の筒部において該第二の筒部とは反対側の開口から挿入し、該第二の筒部の該内部空間内で該嵌込突起に外嵌して且つ該第二の筒部の内周面に圧接させることで該第二の筒部に固定して、該第一の構成部材と該第二の構成部材との組付状態の解除を不能とするようにしたことを特徴とする組付状態解除阻止機構。
【請求項２】
板状片の中央部分から突出する挿入突起が、前記スプリングピンにおいて該スプリングピンを前記第一の筒部に対して前記第二の筒部とは反対側の開口から挿入する際に先行する先行端部とは反対側の端部に挿入固定されていると共に、該スプリングピンが該第二の筒部に固定された状態で、該板状片が該第一の筒部に対して該スプリングピンの挿入方向とは反対側に係止されるようにした請求項１に記載の組付状態解除阻止機構。
【発明の詳細な説明】
【技術分野】
【０００１】
本発明は、第一の構成部材とそれに組み付けられる第二の構成部材を含んで構成された組付構造物において、第一の構成部材と第二の構成部材の組付状態が解除されることを阻止する組付状態解除阻止機構に関するものである。
【背景技術】
【０００２】
一般に、民生用の様々な装置は、単一の部品のみで構成されておらず、殆どの場合、複数の構成部材が組み付けられることで構成されている。
【０００３】
そこにおいて、上述の如く、複数の構成部材が組み付けられることで構成された装置（以下、組付構造物と称する）には、例えば、安全性確保や不正改造防止等の観点から、組付構造物を構成する複数の構成部材のうち第一の構成部材とそれに組み付けられる第二の構成部材の組付状態が解除されることを阻止する機構（以下、組付状態解除阻止機構と称する）を備えたものがある。具体的には、例えば、スロットマシンやパチンコ機等の遊技機の分野においては、遊技機の作動の全体を制御する主制御基板が収容される基板ケースの開封を阻止する開封阻止機構が、それである。
【０００４】
ところで、上述の如き開封阻止機構としては、例えば、特許文献１に記載されているように、ケース本体（第一の構成部材）とそれに組み付けられる蓋部材（第二の構成部材）のそれぞれに円筒部材を設けて、これらの円筒部材に中実ピンを嵌着することにより、ケース本体（第一の構成部材）と蓋部材（第二の構成部材）の相対変位（基板ケースを開ける方向への変位）を阻止する開蓋阻止機構が、従来から知られている。
【０００５】
しかしながら、特許文献１に記載の如き開蓋阻止機構においては、基板ケースに収容される制御基板への不正行為を外部から容易に確認できるように、基板ケースを構成する各構成部材（ケース本体と蓋部材）が、透明な合成樹脂材料によって形成されるのが一般的である。そうすると、ケース本体と蓋部材のそれぞれに設けられる円筒部材は、殆どの場合、ケース本体や蓋部材と一体的に形成されることとなる。その結果、これらの円筒部材に対して、成形時に寸法誤差が生じてしまうおそれがある。
【０００６】
加えて、組付構造物（基板ケース）の周辺温度によっては、ケース本体と蓋部材のそれぞれに設けられた円筒部材の断面が変形してしまうおそれがある。
【０００７】
それ故、特許文献１に記載の如き開蓋阻止機構においては、両方の円筒部材に中実ピンを嵌め込むことが困難になるおそれや、中実ピンを無理矢理嵌め込むことによって円筒部材が破損するおそれがあったり、両方の円筒部材に中実ピンを嵌め込むことは出来るが、その中実ピンが容易に抜けてしまったり、或いは、両方の円筒部材の少なくとも一方に対して中実ピンが嵌着固定されていたとしても、周辺温度の変化によって中実ピンが抜け易くなってしまうおそれがあり、開蓋阻止機構としての機能を十分に発揮することが難しくなってしまうおそれがある。
【０００８】
【特許文献１】特開２００５−３４２１９３号公報
【発明の開示】
【発明が解決しようとする課題】
【０００９】
ここにおいて、本発明は、上述の如き事情を背景として為されたものであって、その解決課題とするところは、第一の構成部材とそれに組み付けられる第二の構成部材を含んで構成された組付構造物において、第一の構成部材と第二の構成部材の組付状態が解除されることを有利に阻止することが出来る、新規な構造の組付状態解除阻止機構を提供することにある。
【課題を解決するための手段】
【００１０】
以下、このような課題を解決するために為された本発明の態様を記載する。なお、以下に記載の各態様において採用される構成要素は、可能な限り任意の組み合わせで採用可能である。
【００１１】
本発明は、第一の構成部材とそれに対して組み付けられる第二の構成部材とを含んで構成された組付構造物における第一の構成部材と第二の構成部材の組付状態の解除を阻止する組付状態解除阻止機構であって、第一の構成部材及び第二の構成部材のうちの一方に一体形成された第一の筒部と、第一の構成部材と第二の構成部材のうちの他方に一体形成されると共に、内部空間内の中央部分に第一の筒部側へ向う嵌込突起が一体形成された第二の筒部とを有しており、第一の構成部材の第二の構成部材の組付状態下において、第一の筒部と第二の筒部とが、かかる組付状態を解除する解除方向に対して交差する方向でそれぞれの内部空間が繋がった状態となるように位置せしめられることを、特徴とする。また、本発明の組付状態解除阻止機構においては、第一の筒部の内部空間と第二の筒部の内部空間とに跨って配置されるスプリングピンを、第一の筒部において第二の筒部とは反対側の開口から挿入し、第二の筒部の内部空間内で嵌込突起に外嵌して且つ第二の筒部の内周面に圧接させることで第二の筒部に固定して、第一の構成部材と第二の構成部材との組付状態の解除を不能とするようにしたことも、特徴とする。
【００１２】
このような本発明に従う構造とされた組付状態解除阻止機構においては、組付構造物を構成する第一の構成部材と第二の構成部材が組み付けられた組付状態下において、かかる組付状態を解除する解除方向に交差する方向で、それぞれの内部空間が繋がった状態となるように位置せしめられた第一の筒部と第二の筒部とに跨って挿入配置されるスプリングピンが、第二の筒部の内部空間内において嵌込突起に外嵌されて且つ第二の筒部に圧接せしめられることで第二の筒部に固定されて、第一の構成部材と第二の構成部材との組付状態の解除が不能とされるようになっている。
【００１３】
そこにおいて、本発明では、スプリングピンが第一の筒部と第二の筒部とに跨って挿入配置された状態で、スプリングピンが嵌込突起に外嵌されていると共に、第二の筒部の内周面に圧接されていることから、スプリングピンに対して軸直角方向への外力が及ぼされて、スプリングピンの軸直角方向での断面が変形せしめられることとなる。
【００１４】
具体的には、例えば、スプリングピンの外径寸法のほうが第二の筒部における内部空間の軸直角方向の寸法よりも大きい場合、スプリングピンを締める方向への外力が第二の筒部によってスプリングピンに及ぼされることとなり、スプリングピンが元の形状に戻ろうとする力、即ち、スプリングピンそのものが有する軸直角方向へのばね作用に基づく復元力が第二の筒部に対して及ぼされることとなる。また、スプリングピンを締める方向への外力がスプリングピンに及ぼされることにより、スプリングピンが嵌込突起に対して押し付けられることとなる。これにより、スプリングピンの第二の筒部に嵌められたことによる過度の変形が嵌込突起によって阻止されることとなる。その結果、スプリングピンの外径寸法のほうが第二の筒部における内部空間の軸直角方向の寸法よりも大きい場合には、嵌込突起が、スプリングピンの元の形状に戻ろうとする変形を補助する役割を果たすこととなる。
【００１５】
一方、第二の筒部における内部空間の軸直角方向の寸法のほうがスプリングピンの外径寸法よりも大きい場合には、スプリングピンを広げる方向への外力が嵌込突起によってスプリングピンに及ぼされることとなり、スプリングピンそのものが有する軸直角方向へのばね作用に基づく復元力が嵌込突起に対して及ぼされることとなる。また、スプリングピンを広げる方向への外力がスプリングピンに及ぼされることにより、スプリングピンが第二の筒部に対して押し付けられることとなる。これにより、スプリングピンに嵌込突起が嵌められたことによる過度の変形が第二の筒部によって阻止されることとなる。その結果、第二の筒部における内部空間の軸直角方向の寸法のほうがスプリングピンの外径寸法よりも大きい場合には、第二の筒部が、スプリングピンの元の形状に戻ろうとする変形を補助する役割を果たすこととなる。
【００１６】
従って、スプリングピンの抜け方向への変位を妨げる方向に作用する摩擦力を有利に確保することが可能となり、第二の筒部や嵌込突起の成形時の寸法誤差に起因する不具合や、組付構造物の周辺温度の変化に起因して第二の筒部や嵌込突起が変形する不具合を回避して、第一の構成部材と第二の構成部材の良好な組付状態を有利に実現することが可能となる。その結果、組付構造物を構成する第一の構成部材と第二の構成部材の組付状態が解除されることを有利に阻止することが可能となる。
【００１７】
また、本発明においては、スプリングピンの挿入方向で奥側に位置する第二の筒部の内部空間内にある嵌込突起に対してスプリングピンが外嵌されるようになっていることから、第二の筒部の内周面による軸方向への案内作用がスプリングピンに及ぼされることとなる。その結果、スプリングピンを嵌込突起に対して外嵌する作業を効率良く行うことが可能となる。
【００１８】
なお、本発明において、組付構造物は、第一の構成部材と第二の構成部材のみで構成されていても良いし、これら第一の構成部材と第二の構成部材の他に、構成部材を備えていても良い。また、第一の構成部材と第二の構成部材の形成材料は、それぞれ、特に限定されるものではないが、（１）軽量である点と、（２）加工性に優れている点等から、合成樹脂材料が好適に採用される。特に、ポリカーボネート（ＰＣ）等の透明な合成樹脂材料を採用する場合には、例えば、第一の構成部材と第二の構成部材が組み付けられることで形成された収容空間を外部から視認することが容易に可能となる。
【００１９】
また、本発明において、第一の筒部と第二の筒部は、それぞれ、一つであっても良いし、二つ以上であっても良い。
【００２０】
さらに、本発明において、「第一の筒部と第二の筒部のそれぞれの内部空間が繋がった状態」とは、スプリングピンが第一の筒部と第二の筒部とに跨って挿入配置され得る状態であることをいう。その際、第一の筒部と第二の筒部は、重なっていても良いし、適当な隙間をあけて離隔位置せしめられていても良い。
【００２１】
更にまた、本発明において、第一の筒部や第二の筒部の内部空間における軸直角方向での断面形状は、特に限定されることはなく、例えば、円形や楕円形，多角形，更には、それらの歪んだ形状等、各種の断面形状が採用され得るが、特に第二の筒部において、スプリングピンの軸直角方向での断面の外形と略対応していることが望ましい。これにより、スプリングピンの外周面と第二の筒部の内周面との接触面積を有利に確保することが可能となる。その結果、スプリングピンの外周面と第二の筒部の内周面との間に発生する摩擦力を有利に確保することが可能となり、スプリングピンの軸方向の変位を有利に阻止することが可能となる。
【００２２】
更にまた、本発明において、第一の筒部や第二の筒部の軸直角方向での断面の大きさや形状等は、軸方向において一定である必要はなく、例えば、軸方向の一端側と他端側において軸直角方向での断面の大きさや形状等が異なっていても良い。
【００２３】
また、本発明におけるスプリングピンは、軸直角方向へのばね作用を生ぜしめる形状であれば、特に限定されることはなく、例えば、スプリングピンの周方向の一部において軸方向の全長に亘って切り込みが形成された形状や、周壁が周方向で連続する筒形状とされており、その軸直角方向での断面形状が各頂部に丸みを有する多角形とされている形状，更には、周壁の軸直角方向での断面形状が渦巻き状とされており、周壁の少なくとも一部が軸直角方向で重なっている形状等が採用される。そこにおいて、スプリングピンの周方向の一部において軸方向の全長に亘って切り込みが形成されている場合には、その切り込みは、スプリングピンの軸方向に沿ってストレートに延びている必要はなく、例えば、軸方向に対して傾斜する方向に延びていても良いし、蛇行するように延びていても良い。
【００２４】
さらに、本発明において、スプリングピンの軸直角方向での断面の外形は、スプリングピンの軸直角方向へのばね作用を生ぜしめる形状であれば、特に限定されることはなく、例えば、略円形や略楕円形，略多角形、更には、それらの歪んだもの等が採用される。
【００２５】
更にまた、本発明において、スプリングピンの周壁の厚さ寸法は、周方向で一定であっても良いし、異なっていても良い。そこにおいて、周方向の一部において軸方向の全長に亘って切り込みが形成されているスプリングピンの場合、その周壁の厚さ寸法は、切り込みに対して軸直角方向で対向位置する部分が最も大きくされている一方、その部分から切り込みへと周方向に沿って行くに従って次第に厚さ寸法が小さくされていることが望ましい。これにより、スプリングピンが第二の筒部の内周面に圧接せしめられた状態で第二の筒部に発生する応力が周方向に均等とされる。その結果、スプリングピンが第二の筒部に固定された状態で、スプリングピンの外周面を第二の筒部の内周面に対して全周に亘って密着させることが可能となり、スプリングピンの抜け方向への変位を一層有利に阻止することが可能となる。
【００２６】
更にまた、本発明において、スプリングピンが、周方向の一部において軸方向の全長に亘って切り込みが形成されている形状や、周壁の軸直角方向での断面形状が渦巻き状とされており、周壁の少なくとも一部が軸直角方向で重なっている形状等である場合には、例えば、管に対して軸方向の全長に亘って切り込みを形成する方法や、板材を丸める方法等によって、目的とするスプリングピンが有利に形成される。また、本発明において、スプリングピンが、周壁が周方向で連続とされており、その軸直角方向での断面形状が各頂部に丸みを有する多角形とされている形状である場合には、例えば、引き抜き若しくは押出し成形することによって、目的とするスプリングピンが有利に形成される。
【００２７】
また、本発明において、スプリングピンの形成材料は、軸直角方向へのばね作用を有利に得ることが出来る材料であれば、特に限定されることなく、例えば、鉄鋼やばね鋼，ばね用ステンレス鋼等が採用可能である。
【００２８】
さらに、本発明において、嵌込突起の軸直角方向での断面形状は、特に限定されるものではなく、例えば、円形や楕円形，多角形，更には、それらの歪んだ形状等、各種の断面形状が採用され得るが、スプリングピンの中心孔における軸直角方向での断面と略対応していることが望ましい。これにより、スプリングピンの内周面と嵌込突起の外周面との接触面積を有利に確保することが可能となる。その結果、スプリングピンの内周面と嵌込突起の外周面との間に発生する摩擦力を有利に確保することが可能となり、スプリングピンの軸方向の変位を有利に阻止することが可能となる。
【００２９】
更にまた、嵌込突起の突出高さは、第一の筒部と第二の筒部のそれぞれの内部空間が繋がった状態を実現することが出来るのであれば、特に限定されることはなく、例えば、第二の筒部の開口端から第一の筒部側に突出していても良いし、突出していなくても良い。
【００３０】
また、本発明においては、板状片の中央部分から突出する挿入突起が、スプリングピンにおいて挿入の際に先行する先行端部とは反対側の端部に挿入固定されていること共に、スプリングピンが第二の筒部に固定された状態で、板状片が第一の筒部に対してスプリングピンの挿入方向とは反対側に係止されるようにすることが望ましい。これにより、スプリングピンの挿入方向とは反対の方向への変位が、第一の筒部に対して板状片が係止されることで、阻止されることとなる。その結果、第一の構成部材と第二の構成部材の組付状態の更なる安定化を図ることが可能となり、第一の構成部材に対する第二の構成部材の解除方向への変位を一層有利に阻止することが可能となる。
【００３１】
そこにおいて、本発明では、第一の筒部に対する板状片の係止状態は、第一の筒部の内周面に形成された段差に板状片が係止されることで実現されるようになっていても良いし、第一の筒部において軸直角方向に開口形成された開口穴に板状片が嵌め込まれて、かかる開口穴の内周面に板状片が係止されることで実現されるようになっていても良い。
【発明を実施するための最良の形態】
【００３２】
以下、本発明を更に具体的に明らかにするために、本発明の実施形態について、図面を参照しつつ、詳細に説明する。
【００３３】
先ず、図１には、本発明の一実施形態の組付状態解除阻止機構としてのロック機構１１が採用された組付構造物としての遊技機用基板ケース１０が示されている。この遊技機用基板ケース１０は、第一の構成部材としてのケース本体１２に対して第二の構成部材としての蓋部材１４が組み付けられた構造とされており、これらケース本体１２と蓋部材１４の組付状態の解除がロック機構１１によって阻止されて、その内部に制御基板１６を収容した状態で、図示しない遊技機の裏側の適当な位置に取り付けられるようになっている。
【００３４】
より詳細には、ケース本体１２は、ポリカーボネート（ＰＣ）等の透明な硬質の合成樹脂材料によって形成されており、図２乃至４に示されているように、全体として、底板１８の外周縁部に沿って全周に亘って延びる周壁２０が立設されて、上側に開口する開口部２２が形成された構造とされている。
【００３５】
そこにおいて、本実施形態では、ケース本体１２の長手方向（図２における左右方向）で対向位置せしめられた一対の長手方向対向壁部２４，２４のそれぞれに対して、上方に開口して長手方向対向壁部２４の長手方向（ケース本体１２の幅方向、即ち、図２における上下方向）に延びるガイド溝２６が形成されている。
【００３６】
また、ケース本体１２の幅方向一方（図２における下方）の側壁部には、複数（本実施形態では、八つ）の第二の筒部としての本体側筒部２８が一体形成されている。特に、本実施形態では、これら八つの本体側筒部２８は、ケース本体１２の長手方向中央を挟んで、長手方向一方の側と他方の側に、四つずつまとまって一つのグループを構成するようにして位置せしめられている。
【００３７】
そこにおいて、本実施形態では、各本体側筒部２８は有底円筒形状とされており、その周壁部分が、ケース本体１２の幅方向一方の側壁部に対して、取付片３０によって取り付けられている。これにより、各本体側筒部２８がケース本体１２の外周縁部としての周壁２０に対して一体形成されているのである。
【００３８】
また、本実施形態では、各本体側筒部２８の開口方向（中心軸線が延びる方向）は、ケース本体１２の開口部２２の開口方向（底板１８に対して略直交する方向）に対して略平行とされている。
【００３９】
更にまた、本実施形態では、各本体側筒部２８の底壁３１に対して、本体側筒部２８の中心軸線上において、開口方向（軸方向上方）に突出する嵌込突起３３が一体形成されている。
【００４０】
また、本実施形態では、このような構造とされた本体側筒部２８のそれぞれの上方において、収容体２９が位置せしめられている。この収容体２９は、Ｕ字断面で本体側筒部２８の開口方向（軸方向）に延びる下段収容部３２の上方に対して、コ字状断面で本体側筒部２８の開口方向（軸方向）に延びる上段収容部３４が一体形成された構造とされており、これら上段収容部３４と下段収容部３２は、上段収容部３４の底壁に形成された切欠によって、相互に連通せしめられている。なお、本実施形態では、隣り合う二つの上段収容部３４，３４は、隣り合う方向に位置する側壁部分（ケース本体１２の幅方向に延びる側壁部分）を共有している。
【００４１】
そこにおいて、本実施形態では、本体側筒部２８の開口方向（軸方向）の投影において、下段収容部３２の内側に本体側筒部２８が位置せしめられるようになっている（図２乃至４参照）。
【００４２】
このような構造とされた収容体２９は、本体側筒部２８の軸方向に直交する方向で対向位置せしめられた一対の側壁部分（上段収容部３４におけるケース本体１２の幅方向に延びる側壁部分と、下段収容部３２におけるケース本体１２の幅方向に延びる側壁部分）が、ケース本体１２の幅方向一方の壁部に対して一体形成されている。即ち、各収容体２９は、ケース本体１２の周壁２０に対して一体形成されているのである。
【００４３】
このような構造とされたケース本体１２に組み付けられる蓋部材１４は、ケース本体１２と同様に、ポリカーボネート（ＰＣ）等の透明な硬質の合成樹脂材料によって形成されており、図５乃至７に示されているように、全体として、天板３６の外周縁部に沿って延びる周壁３７が立設されて、下側に開口する開口部が形成された構造とされている。なお、本実施形態の天板３６は、その幅方向（図５中の上下方向）中間部分において傾斜部分が設けられており、それによって、幅方向の両端において天板３６から開口端までの距離が異ならされている。
【００４４】
また、蓋部材１４の幅方向一方の側壁部には、複数（本実施形態では、八つ）の第一の筒部としての蓋側筒部３８が一体形成されている。特に、本実施形態では、これら八つの蓋側筒部３８は、蓋部材１４の長手方向中央を挟んで、長手方向一方の側と他方の側に、四つずつまとまって一つのグループを構成するようにして位置せしめられている。
【００４５】
そこにおいて、本実施形態では、各蓋側筒部３８は、矩形断面で開口する枠体乃至は筒体形状とされた上側収容部４０の底壁に対して略一定の断面でストレートに延びる円筒形状とされた下側収容部４２が同一中心軸上で軸方向下方に突設された構造とされており、これら上側収容部４０と下側収容部４２は、上側収容部４０の底壁に形成された連通孔を通じて、相互に連通せしめられている。
【００４６】
特に、本実施形態では、各蓋側筒部３８の開口方向（中心軸線が延びる方向）、即ち、上側収容部４０と下側収容部４２の開口方向（中心軸線が延びる方向）が、蓋部材１４の開口方向（天板３６に略直交する方向）に対して略平行とされている。
【００４７】
このような構造とされた蓋側筒部３８は、上側収容部４０が一対の取付片４４，４４によって蓋部材１４における幅方向一方の側壁部に取り付けられている。これにより、各蓋側筒部３８が蓋部材１４の外周縁部としての周壁３７に対して一体形成されているのである。
【００４８】
続いて、上述の如き構造とされた蓋部材１４を、ケース本体１２に対して組み付ける方法について、説明する。先ず、蓋部材１４の長手方向（図５における左右方向）で対向位置せしめられる一対の長手方向対向壁部４６，４６を、ケース本体１２の長手方向両端に形成された一対のガイド溝２６，２６に嵌め入れる。その際、図８に示されているように、ケース本体１２における各ガイド溝２６内に設けられた係止片４８，４８は、蓋部材１４における各長手方向対向壁部４６に形成された係止用切欠５０，５０内に収容位置せしめられるようになっている。なお、本実施形態の係止片４８，４８は、それぞれ、各ガイド溝２６の側壁部分に対して一体的に設けられている。
【００４９】
そこにおいて、本実施形態では、上述の如く、蓋部材１４における一対の長手方向対向壁部４６，４６がケース本体１２における一対のガイド溝２６，２６に嵌め入れられた状態で、ケース本体１２の底板１８と蓋部材１４における天板３６は、天板３６における傾斜部分を除いて略平行とされている。
【００５０】
また、図面上では明示されていないが、本実施形態では、上述の如く、ケース本体１２に設けられたガイド溝２６，２６に対して蓋部材１４における長手方向対向壁部４６，４６を嵌め入れる前において、制御基板１６は、そこに実装されているコネクタ５２が蓋部材１４に形成された窓５４から外部に突出した状態で、蓋部材１４に対してネジ止めされるようになっている。
【００５１】
なお、制御基板１６は、所定の検査機関による検査の対象となる制御基板（具体的には、例えば、遊技機の作動を全体的に制御する主制御基板や、かかる主制御基板からの制御信号に基づいて賞媒体の払い出しを制御する払出制御基板）等である。
【００５２】
上述の如き状態から係止片４８，４８が係止用切欠５０，５０に係止される方向（ケース本体１２の開口部２２を蓋部材１４で覆蓋する方向、即ち、蓋を閉める方向））へと蓋部材１４をケース本体１２に対してスライド変位（本実施形態では、底板１８に対して天板３６を平行移動させるようなスライド変位）せしめることにより、図９に示されているように、係止片４８，４８が係止用切欠５０，５０に係止されるようになっている。これにより、ケース本体１２に対して蓋部材１４が組み付けられた状態となって、図１に示されているように、ケース本体１２の開口部２２が蓋部材１４で覆蓋されることとなる。その結果、蓋部材１４にネジ止めされた制御基板１６が開口部２２を通じてケース本体１２に入れられることとなる。
【００５３】
なお、本実施形態では、上述の如く、ケース本体１２の開口部２２が蓋部材１４で覆蓋された状態で、図１に示されているように、ケース本体１２の幅方向他方の側壁部に形成された突起５６が、蓋部材１４における幅方向他方の側壁部に形成された挿通孔５８に嵌め入れられるようになっている。
【００５４】
また、上述の如く、蓋部材１４をケース本体１２に対してスライド変位せしめることにより、図１０に示されているように、蓋側筒部３８における下側収容部４２が本体側筒部２８の上方に位置せしめられた収容体２９の下段収容部３２内に位置せしめられると共に、蓋側筒部３８における上側収容部４０が収容体２９の上段収容部３４内に位置せしめられるようになっている。
【００５５】
これにより、ケース本体１２に対して蓋部材１４が組み付けられた状態で、蓋側筒部３８と本体側筒部２８が、同一中心軸線上に位置せしめられるようになっている。即ち、本実施形態では、蓋部材１４において本体側筒部２８に対応する位置に蓋側筒部３８が設けられているのである。そして、上述の如く、蓋側筒部３８と本体側筒部２８が同一中心軸線上に位置せしめられることにより、蓋側筒部３８の内部空間３９と本体側筒部２８の内部空間２７が後述するスプリングピン６０の挿入を許容する位置にあることとなる。このことから明らかなように、本実施形態では、ケース本体１２に対して蓋部材１４が組み付けられた状態で、蓋側筒部３８と本体側筒部２８が同一中心軸上に位置せしめられることにより、蓋側筒部３８の内部空間３９と本体側筒部２８の内部空間２７が繋がった状態とされているのである。なお、本実施形態では、上述の如く、蓋側筒部３８と本体側筒部２８が同一中心軸上に位置せしめられた状態で、蓋側筒部３８における下側収容部４２の下端面と本体側筒部２８の上面との間には、隙間が形成されている。
【００５６】
また、本実施形態では、底板１８に対して天板３６が平行移動するようにして、蓋部材１４がケース本体１２に対してスライド変位せしめられることにより、蓋部材１４がケース本体１２に対して脱着されるようになっていることから、蓋部材１４がケース本体１２に対して組み付けられた状態で、蓋側筒部３８と本体側筒部２８の並ぶ方向（これら蓋側筒部３８と本体側筒部２８に共通の中心軸線が延びる方向）が、蓋部材１４のケース本体１２に対するスライド方向に略直交しているのである。
【００５７】
そして、上述の如く、同一中心軸上に位置せしめられた本体側筒部２８と蓋側筒部３８に対して、スプリングピン６０が挿入されるようになっている。そこにおいて、本実施形態のスプリングピン６０は、鉄鋼やばね鋼等で形成されており、図１１及び図１２に示されているように、周方向の一部において軸方向に蛇行しながら延びる切り込み６２が形成された筒形状とされている。なお、このようなスプリングピン６０は、例えば、長手方向両端が鋸歯状に形成された板材を適当な機械や工具を用いて丸めること等によって、有利に形成される。また、本実施形態のスプリングピン６０は、その軸方向両端の外側角部に対して、全周に亘って角取りが施されている。これにより、軸方向の何れの側からであっても、スプリングピン６０の本体側筒部２８と蓋側筒部３８への挿入が有利に行われるようになっている。
【００５８】
また、本実施形態では、このようなスプリングピン６０に対して組付ピン６４が取り付けられている。この組付ピン６４は、ＡＢＳ等の合成樹脂材によって形成されており、図１３及び図１４に示されているように、全体として矩形平板形状とされた板状片６６の中央部分から厚さ方向一方の側に突出する挿入突起としての挿入軸６８が一体形成された構造とされている。なお、本実施形態では、板状片６６の長手方向両端の下側角部に対して板状片６６の幅方向全長に亘って角取りが施されている。これにより、後述する板状片６６の上側収容部４０内における上側開口から底壁への移動を有利に行うことが可能となる。
【００５９】
このような構造とされた組付ピン６４は、図１５に示されているように、スプリングピン６０の軸方向一方の端から挿入軸６８が挿入されて固定されることにより、スプリングピン６０に対して組み付けられている。このことから明らかなように、本実施形態では、スプリングピン６０の軸方向一方の端部が先行端部とは反対側の端部とされているのである。
【００６０】
そこにおいて、図面上では明示されていないが、本実施形態では、このようにして、スプリングピン６０に組付ピン６４が組み付けられた状態で、スプリングピン６０の軸方向上方（組付ピン６４が組み付けられた側）から見ると、組付ピン６４における板状片６６によって、スプリングピン６０が覆い隠されるようになっている。
【００６１】
そして、上述の如く、組付ピン６４が組み付けられたスプリングピン６０は、図１６に示されているように、組付ピン６４が取り付けられていない軸方向他方の端部側から蓋側筒部３８に挿入されるようになっている。このことから明らかなように、本実施形態では、スプリングピン６０における軸方向他方の端部が先行端部とされている。
【００６２】
そこにおいて、本実施形態では、上述の如く、スプリングピン６０が蓋側筒部３８に挿入されることにより、スプリングピン６０における下側収容部４２に嵌め入れられている部分に対して、スプリングピン６０を締める力が作用することとなる。その結果、スプリングピン６０が元の形状に戻ろうとする力（復元力）が下側収容部４２に作用することとなる。
【００６３】
そして、上述の如きスプリングピン６０による復元力が下側収容部４２に作用することによって、スプリングピン６０における下側収容部４２に嵌め入れられている部分の外周面が下側収容部４２の内周面に押し当てられることとなる。その結果、スプリングピン６０における下側収容部４２に嵌め入れられている部分の外周面と下側収容部４２の内周面との間にスプリングピン６０の軸方向の変位を阻止する方向に作用する摩擦力を発生させることが可能となる。
【００６４】
また、上述の如く、スプリングピン６０が下側収容部４２に嵌め入れられた状態からスプリングピン６０を摩擦力に抗して更に嵌め入れることにより、図１７に示されているように、スプリングピン６０が蓋側筒部３８と本体側筒部２８とに跨って挿入配置された状態となる。
【００６５】
そこにおいて、上述の如く、スプリングピン６０が本体側筒部２８にも嵌め入れられることにより、スプリングピン６０における本体側筒部２８に嵌め入れられている部分に対して、スプリングピン６０を締める力が作用することとなる。これにより、スプリングピン６０が元の形状に戻ろうとする力（復元力）が本体側筒部２８に作用することとなる。その結果、スプリングピン６０における本体側筒部２８に嵌め入れられている部分の外周面と本体側筒部２８の内周面との間にスプリングピン６０の軸方向への変位を阻止する方向に作用する摩擦力を発生させることが可能となる。
【００６６】
また、上述の如く、スプリングピン６０が本体側筒部２８に嵌め入れられた状態で、本体側筒部２８に設けられた嵌込突起３３がスプリングピン６０の軸方向他端側に嵌め入れられている。これにより、スプリングピン６０の過度の変形が嵌込突起３３によって阻止されることとなる。即ち、スプリングピン６０における元の形状に戻ろうとする変形が、嵌込突起３３によって補助されることとなるのである。
【００６７】
そして、上述の如く、スプリングピン６０の軸方向他方の端部に対して嵌込突起３３が嵌め込まれることにより、スプリングピン６０における本体側筒部２８に嵌め入れられている部分の外周面、特に、嵌込突起３３が嵌め入れられている部分の外周面が本体側筒部２８の内周面に対して圧接せしめられて、スプリングピン６０における本体側筒部２８に嵌め入れられている部分の外周面、特に、嵌込突起３３が嵌め入れられている部分の外周面と本体側筒部２８の内周面との間に発生する摩擦力を一層大きくすることが可能となる。
【００６８】
加えて、上述の如く、スプリングピン６０が嵌込突起３３に外嵌されていることにより、スプリングピン６０の内周面と嵌込突起３３の外周面の間にも、スプリングピン６０の軸方向への変位を妨げる方向に摩擦力が発生することとなる。
【００６９】
このことから明らかなように、本実施形態では、スプリングピン６０が蓋側筒部３８と本体側筒部２８とに跨って挿入配置された挿入配置状態で、スプリングピン６０が蓋側筒部３８と本体側筒部２８の両方に嵌められて固定されていると共に、嵌込突起３３がスプリングピン６０の軸方向他端側に嵌められて固定されているのである。その結果、ケース本体１２に対する蓋部材１４の開蓋方向（解除方向）へのスライド変位が阻止されるようになっているのである。
【００７０】
すなわち、本実施形態では、ケース本体１２に対して一体形成された本体側筒部２８と、蓋部材１４に対して一体形成された蓋側筒部３８と、これら本体側筒部２８と蓋側筒部３８とに跨って挿入配置されるスプリングピン６０と、本体側筒部２８の底壁３１に突設された嵌込突起３３とを含んでロック機構１１が構成されているのである。
【００７１】
また、本実施形態では、上述の如く、スプリングピン６０が蓋側筒部３８と本体側筒部２８とに跨って挿入配置された挿入配置状態で、スプリングピン６０の軸方向一方の端部は蓋側筒部３８内に位置せしめられていると共に、スプリングピン６０の軸方向他方の端部は本体側筒部２８内に位置せしめられている。
【００７２】
なお、図面上では明示されていないが、本実施形態では、四つ集まることで一つのグループを構成している、同一中心軸上に位置せしめられた本体側筒部２８と蓋側筒部３８の組み合わせのうち、何れか一つの組み合わせにおいてのみ、図１７に示されているように、スプリングピン６０が本体側筒部２８と蓋側筒部３８とに跨って挿入配置されている一方、その他の組み合わせにおいては、図１６に示されているように、スプリングピン６０が蓋側筒部３８のみに嵌め入れられている。
【００７３】
また、本実施形態では、図１６に示されている状態から更にスプリングピン６０を嵌め入れる際において、スプリングピン６０に固定された組付ピン６４における板状片６６の長手方向両端が、上側収容部４０における長手方向（図７や図１６における左右方向）で対向位置せしめられる一対の対向壁部７０，７０に対して摺動せしめられるようになっている。
【００７４】
そこにおいて、本実施形態では、一対の対向壁部７０，７０の対向面間距離が、上側収容部４０の上側開口から底壁へと行くに従って次第に短くなるようにされている。これにより、スプリングピン６０に固定された組付ピン６４における板状片６６の長手方向両端は、上側収容部４０の底壁側に行くに従って次第に上側収容部４０の上側開口側への反りが大きくなるようになっている。
【００７５】
そして、板状片６６が上側収容部４０の底壁に到達すると、板状片６６の長手方向両端部のそれぞれが、上側収容部４０の上側開口側に反った状態から元の状態に戻ると共に、各対向壁部７０の底壁付近に形成された開口穴７２に入り込むようになっている。その結果、板状片６６の長手方向両端部のそれぞれが、各対向壁部７０に形成された開口穴７２の内周面７４（特に、スプリングピン６０の挿入方向とは反対側に位置する上側開口側の面）に係止されることにより、組付ピン６４の上側収容部４０の上側開口側への変位、延いては、スプリングピン６０の軸方向上方への変位（抜け方向となる挿入方向とは反対の方向への変位）が阻止されることとなる。
【００７６】
なお、本実施形態では、図１６に示された状態、即ち、スプリングピン６０が蓋側筒部３８に嵌め入れられて、板状片６６の上面が蓋側筒部３８の上端面と略同じ高さに位置せしめられた状態で、図１８に示されているように、板状片６６における幅方向両端と上側収容部４０との間に隙間が形成されている。
【００７７】
特に、本実施形態では、図面上では必ずしも明らかではないが、板状片６６の上面が蓋側筒部３８（上側収容部４０）の上端面と略同じ高さに位置せしめられた状態から板状片６６の長手方向両端のそれぞれが開口穴７２，７２に入り込むまでの間において、板状片６６における幅方向両端と上側収容部４０との間には、それぞれ、隙間が形成されるようになっている。これにより、スプリングピン６０が蓋側筒部３８と本体側筒部２８とに跨って挿入配置された状態に至るまでの間において、板状片６６の長手方向両端のみが上側収容部４０の上側開口側に反るようになっている。その結果、スプリングピン６０が蓋側筒部３８に嵌め入れられた状態からスプリングピン６０が蓋側筒部３８と本体側筒部２８とに跨って挿入配置された状態に至るまでの抵抗を小さくすることが可能となる。
【００７８】
このような構造とされた遊技機用基板ケース１０に採用されているロック機構１１においては、ケース本体１２に対して蓋部材１４が組み付けられた状態で、ケース本体１２に対する蓋部材１４のスライド変位方向に略直交する方向に延びる中心軸線上に位置せしめられた下側収容部４２と本体側筒部２８とに跨って挿入配置されるスプリングピン６０が、本体側筒部２８に嵌められて固定されることから、ケース本体１２に対する蓋部材１４の開蓋方向（解除方向）へのスライド変位が阻止されることとなり、その結果、ケース本体１２と蓋部材１４の組付状態の解除が阻止されるようになっている。
【００７９】
そこにおいて、スプリングピン６０は、周方向の一部において軸方向の全長に亘って切り込み６２が形成された筒形状とされており、軸直角方向にばね作用を生ぜしめるようになっていることから、本体側筒部２８によって及ぼされるスプリングピン６０を締める力の反力が本体側筒部２８に及ぼされて、スプリングピン６０が本体側筒部２８に圧接せしめられるようになっている。
【００８０】
これにより、スプリングピン６０における本体側筒部２８に嵌め入れられている部分の外周面と本体側筒部２８の内周面との間においてスプリングピン６０の軸方向への変位を妨げる方向に作用する摩擦力を有利に確保することが可能となる。
【００８１】
また、本体側筒部２８に嵌められて固定されたスプリングピン６０に対して嵌込突起３３が本体側筒部２８の内部空間２７内で嵌められていることから、スプリングピン６０における嵌込突起３３が嵌め入れられている部分の内周面と嵌込突起３３の外周面との間においてスプリングピン６０の軸方向への変位を妨げる方向に作用する摩擦力を確保することも可能となる。
【００８２】
従って、上述の如き構造とされたロック機構１１においては、本体側筒部２８や嵌込突起３３，蓋側筒部３８に成形時の寸法誤差があったり、遊技機用基板ケース１０の周辺温度の変化に起因して、本体側筒部２８や嵌込突起３３，蓋側筒部３８に変形があったとしても、ケース本体１２と蓋部材１４の安定した組付状態を有利に実現することが可能となり、その結果、ケース本体１２に対する蓋部材１４の開蓋方向（解除方向）へのスライド変位、即ち、ケース本体１２と蓋部材１４の組付状態の解除を有利に阻止することが可能となる。
【００８３】
特に、本実施形態では、スプリングピン６０が蓋側筒部３８（下側収容部４２）にも嵌められて固定されていることから、下側収容部４２によって及ぼされるスプリングピン６０を締める反力が下側収容部４２に及ぼされることとなる。これにより、スプリングピン６０における下側収容部４２に嵌められている部分の外周面と下側収容部４２との間においても、スプリングピン６０の軸方向への変位を妨げる摩擦力を発生させることが可能となる。その結果、スプリングピン６０が蓋側筒部３８と本体側筒部２８とに跨って挿入配置された状態の安定化を図ることが可能となり、ケース本体１２と蓋部材１４の組付状態の解除を一層有利に阻止することが可能となる。
【００８４】
加えて、本実施形態では、スプリングピン６０が下側収容部４２（蓋側筒部３８）と本体側筒部２８とに跨って挿入配置された挿入配置状態で、スプリングピン６０に固定された組付ピン６４における板状片６６の長手方向両端が、上側収容部４０における一対の対向壁部７０，７０の底壁側に形成された開口穴７２，７２に嵌め込まれるようになっていることから、板状片６６の長手方向の各端部が開口穴７２の内周面７４に対してスプリングピン６０の挿入方向とは反対側の面に係止されるようにすることが可能となる。これにより、スプリングピン６０の軸方向での変位、特に、スプリングピン６０の挿入方向とは反対側の方向への変位を一層有利に阻止することが可能となる。
【００８５】
従って、本実施形態においては、ケース本体１２と蓋部材１４の安定した組付状態を一層有利に実現することが可能となり、その結果、ケース本体１２と蓋部材１４の組付状態の解除を一層有利に阻止することが可能となる。
【００８６】
また、本実施形態では、本体側筒部２８が有底円筒形状とされていることから、本体側筒部２８の底壁３１に穴を開ける等しない限り、スプリングピン６０が本体側筒部２８の側から引き抜けないようになっており、しかも、スプリングピン６０と本体側筒部２８との間や、スプリングピン６０と嵌込突起３３との間、更には、スプリングピン６０と蓋側筒部３８との間において、スプリングピン６０の引抜方向に対して逆らう方向に摩擦力が働くようになっていることから、スプリングピン６０の引き抜きを有利に阻止することが可能となり、その結果、ケース本体１２と蓋部材１４の組付状態の解除を有利に阻止することが可能となる。
【００８７】
特に、本実施形態では、上述の如く、本体側筒部２８の底壁３１に穴を開ける等して、本体側筒部２８の側から蓋側筒部３８の側へとスプリングピン６０を動かすことが可能な状態にしても、スプリングピン６０に取り付けられた組付ピン６４における板状片６６の両端が上側収容部４０に形成された開口穴７２に嵌め込まれていることから、スプリングピン６０を本体側筒部２８の側から蓋側筒部３８の側に押して、スプリングピン６０を蓋側筒部３８の側から抜くことが出来ないようになっており、その結果、ケース本体１２と蓋部材１４の組付状態の解除を有利に阻止することが可能となる。
【００８８】
また、本実施形態では、スプリングピン６０に固定された組付ピン６４における板状片６６をスプリングピン６０の軸方向上方から見た場合に、板状片６６がスプリングピン６０を覆い隠すようになっていることから、スプリングピン６０を嵌め入れる際に力を加えることが出来る面積を有利に確保することが可能となり、その結果、スプリングピン６０を挿入する作業の作業効率を向上させることが可能となる。
【００８９】
更にまた、本実施形態では、挿入軸６８が板状片６６の中央部分に突出形成されていることから、スプリングピン６０が蓋側筒部３８と本体側筒部２８とに跨って挿入配置されるまでの過程における板状片６６の長手方向両端の反りを実現することが可能となる。
【００９０】
また、本実施形態では、スプリングピン６０は本体側筒部２８と下側収容部４２（蓋側筒部３８）の両方に対して嵌めて固定されるようになっているが、本体側筒部２８の軸方向の投影で収容体２９における下段収容部３２内に本体側筒部２８が位置せしめられるようになっていることから、本体側筒部２８をケース本体１２の周壁２０に連結している取付片３０と、蓋側筒部３８を蓋部材１４の周壁３７に連結している取付片４４，４４をニッパー等で切断して、本体側筒部２８をケース本体１２から分離すると共に、蓋側筒部３８を蓋部材１４から分離することにより、本体側筒部２８と蓋側筒部３８が嵌着固定された状態のスプリングピン６０を、収容体２９の上方へと抜き取ることが可能となる。その結果、ロック機構１１を破壊した痕跡を残しつつ、ケース本体１２と蓋部材１４の組付状態の解除を行うことが可能となる。なお、本実施形態では、取付片４４，４４をニッパー等で切断するだけで、ケース本体１２に対する蓋部材１４のスライド変位が可能とされていることから、ケース本体１２に対する蓋部材１４のスライド変位に際して、取付片４４，４４だけを切断するようにしても良い。
【００９１】
以上、本発明の一実施形態について詳述してきたが、これはあくまでも例示であって、本発明は、かかる実施形態における具体的な記載によって、何等、限定的に解釈されるものではない。
【００９２】
例えば、前記実施形態における組付ピン６４は、必ずしも必要なものではない。また、前記実施形態におけるスプリングピン６０の軸方向端部外側の角部に対する角取りは、必ずしも必要なものではない。更に、前記実施形態における収容体２９は必ずしも必要なものではない。
【００９３】
また、スプリングピンにおける周方向で分断されている部分は、前記実施形態のように、蛇行している必要はなく、真っ直ぐ延びていても良い。更に、スプリングピンは、板材を一周以上に巻いた構造であっても良い。
【００９４】
更にまた、周方向で分断された筒状のスプリングピンに対して、スプリングピンの形成材料よりも硬度が低い材料で形成された挿入部材を挿入固定しても良い。これにより、スプリングピンにおいて周方向で分断されている部分の離隔距離を有利に確保することが可能となり、その結果、スプリングピンの軸直角方向へのばね作用を有利に得ることが可能となる。なお、挿入部材の形成材料としては、例えば、硬質ゴムやシリコーン，セラミックス，ウレタン等が採用される。
【００９５】
また、スプリングピン６０は、本体側筒部２８のみに対して嵌めて固定されるようになっていても良い。
【００９６】
更にまた、嵌込突起３３は、本体側筒部２８の底壁３１から突出している必要はなく、例えば、本体側筒部２８の周壁部分から本体側筒部２８の軸直角方向内方に延びる連結部に対して連結支持されていても良い。また、本体側筒部２８の底壁３１において、嵌込突起３３が突設していない部分に対して、適当な大きさや形状の貫通孔が形成されていても良い。
【００９７】
さらに、制御基板１６は、蓋部材１４に対してネジ止めされる必要はなく、制御基板１６の適当な位置に形成された穴に対して蓋部材１４に設けられた突起を挿し込むことにより、蓋部材１４に対して位置決めされているだけであっても良い。
【００９８】
なお、前記実施形態において、下側収容部４２の内径寸法が軸方向上端から軸方向下端に行くに従って次第に小さくされていても良い。これにより、スプリングピン６０の嵌め入れ作業を有利に実現することが可能となる。
【００９９】
また、板状片の板面に直交する方向から見た形状は、円形や楕円形，多角形等が何れも採用され得る。
【０１００】
更にまた、前記実施形態では、不正行為防止の観点から遊技機用基板ケースに採用されているロック機構について説明したが、本発明は、ただ単に、第一の構成部材に対して第二の構成部材を組付固定するための手段として採用することも、勿論可能である。
【０１０１】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０１０２】
【図１】本発明の一実施形態としての遊技機用基板ケースの平面図。
【図２】同遊技機用基板ケースを構成するケース本体の平面図。
【図３】図２におけるＩＩＩ−ＩＩＩ方向の断面図。
【図４】図２におけるＩＶ−ＩＶ方向の断面図。
【図５】図１の遊技機用基板ケースを構成する蓋部材の平面図。
【図６】図５におけるＶＩ−ＶＩ方向の断面図。
【図７】図５におけるＶＩＩ−ＶＩＩ方向の断面図。
【図８】ケース本体に対して蓋部材をスライドさせる前の状態を説明するための断面図。
【図９】ケース本体に対して蓋部材をスライドさせた状態を説明するための断面図。
【図１０】図１におけるＸ−Ｘ方向に相当する断面図であって、本体側筒部と蓋側筒部の位置関係を説明するための要部拡大断面図。
【図１１】図１の遊技機用基板ケースに採用されているスプリングピンの正面図。
【図１２】図１１に示されたスプリングピンの上面図。
【図１３】図１１に示されたスプリングピンに固定される組付ピンの正面図。
【図１４】図１３に示された組付ピンの右側面図。
【図１５】図１１のスプリングピンに組付ピンが固定された状態を示す正面図。
【図１６】図１５のスプリングピンが下側収容部に嵌め込まれた状態を示す断面図。
【図１７】図１５のスプリングピンが下側収容部と本体側筒部に嵌め込まれた状態を示す断面図。
【図１８】図１６に示されたスプリングピンの下側収容部への嵌め込み状態を上方から見た図面。
【符号の説明】
【０１０３】
１０：遊技機用基板ケース，１１：ロック機構，１２：ケース本体，１４：蓋部材，２８：本体側筒部，３３：嵌込突起，３８：蓋側筒部，６０：スプリングピン
【図１】
2007275428.tif 000003
【図２】
2007275428.tif 000004
【図３】
2007275428.tif 000005
【図４】
2007275428.tif 000006
【図５】
2007275428.tif 000007
【図６】
2007275428.tif 000008
【図７】
2007275428.tif 000009
【図８】
2007275428.tif 000010
【図９】
2007275428.tif 000011
【図１０】
2007275428.tif 000012
【図１１】
2007275428.tif 000013
【図１２】
2007275428.tif 000014
【図１３】
2007275428.tif 000015
【図１４】
2007275428.tif 000016
【図１５】
2007275428.tif 000017
【図１６】
2007275428.tif 000018
【図１７】
2007275428.tif 000019
【図１８】
2007275428.tif 000020